(57)【要約】  織られたスリーブおよびその構築方法が提供される。スリーブは、両端部間に延在する長手方向軸に沿って長手方向に延在する対向する端部を備える壁を有し、対向する端部は、互いに重なり合う関係に巻き付け可能であり、スリーブのキャビティ内にワイヤを収容する。壁は、長手方向軸に沿って延在する縦糸と、縦糸に対して横方向に延在する横糸とから構成される。横糸は、透明または実質的に透明なモノフィラメントとして提供され、縦糸は、マルチフィラメント糸と少なくとも１つの導電性ワイヤとを含む糸として提供され、導電性ワイヤは、マルチフィラメント糸の周りに巻かれる。
2018519431.tif 000002
【特許請求の範囲】
【請求項１】
ワイヤを引き回し、前記ワイヤを摩耗への曝露、ＥＭＩへの曝露から保護するとともに、スリーブに収容される前記ワイヤを視認可能とするための保護織物スリーブであって、
両端部間で長手方向軸に沿って長手方向に延在する対向する縁部を有する織られた壁を備え、前記対向する縁部は、互いに重なり合う関係になるように巻かれて前記スリーブのキャビティ内に前記ワイヤを収容し、前記壁は、前記長手方向軸に沿って延在する縦糸と前記縦糸に対して横方向に延在する横糸とを有し、前記横糸は、実質的に透明なモノフィラメントであり、前記縦糸は、マルチフィラメント糸と前記マルチフィラメント糸の周りに撚り合わされるか供給される少なくとも１つの導電性ワイヤとを含み、前記横糸は、前記少なくとも１つの導電性ワイヤと接合される、保護織物スリーブ。
【請求項２】
前記マルチフィラメント縦糸は、前記スリーブの前記キャビティ内に収容される前記ワイヤを前記マルチフィラメント縦糸から区別するための能力を向上させるために色付けされる、請求項１に記載の保護織物スリーブ。
【請求項３】
前記モノフィラメント横糸の少なくとも一部は、実質的に透明な中央芯材と実質的に透明な外側シースとを含む複合モノフィラメントとして提供され、前記外側シースは、前記中央芯材よりも低い融点を有し、前記中央芯材は、ヒートセットされて前記対向する縁部に互いに重なる関係になるように付勢する、請求項１に記載の保護織物スリーブ。
【請求項４】
共通の温度で外側シースは融解可能であるとともに中央芯材はヒートセット可能である、請求項１に記載の保護織物スリーブ。
【請求項５】
前記外側シースは、前記中央芯材をヒートセットするのに不十分な温度で融解可能である、請求項１に記載の保護織物スリーブ。
【請求項６】
前記少なくとも１つのワイヤは、複数のワイヤを含み、前記複数のワイヤの少なくとも一部は、前記マルチフィラメントの周りに反対の螺旋方向に巻かれる、請求項１に記載の保護織物スリーブ。
【請求項７】
スリーブ間に延在する細長いワイヤを保護するための保護織物スリーブの構築方法であって、
長手方向軸に沿って延在する縦糸と前記縦糸に対して横方向に延在する横糸とを用いて、前記長手方向軸に沿って長手方向に延在する対向する縁部を有する壁を織ることと、
横糸を実質的に透明なモノフィラメントとして提供することと、マルチフィラメント糸と前記マルチフィラメント糸の周りに撚り合わされるか供給される少なくとも１つの導電性ワイヤとを含む縦糸を提供することとを備える、方法。
【請求項８】
実質的に透明でヒートセット可能な中央芯材と実質的に透明で熱融解可能な外側シースとを含む、横糸を実質的に透明な複合モノフィラメントとして提供することをさらに含む、請求項７に記載の方法。
【請求項９】
前記中央芯材よりも低い融点を有する前記外側シースを提供することをさらに含む、請求項８に記載の方法。
【請求項１０】
前記外側シースを融解することと、次いで前記中央芯材をヒートセットすることとをさらに含む、請求項９に記載の方法。
【請求項１１】
前記中央芯材をヒートセットする前に前記スリーブを所定の長さに切断することをさらに含む、請求項１０に記載の方法。
【請求項１２】
前記中央芯材をヒートセットした後に前記スリーブを所定の長さに切断することをさらに含む、請求項１０に記載の方法。
【請求項１３】
単一のヒート動作で前記中央芯材をヒートセットするとともに前記外側シースを少なくとも部分的に融解することを含む、単一のステップで前記壁を加熱することをさらに含む、請求項８に記載の方法。
【請求項１４】
第１の加熱動作において、前記外側シースを融解するのに十分だが前記中央芯材をヒートセットすることを回避するのに十分低い温度で、前記外側シースを融解することと、融解された前記外側シースを冷却して前記導電性ワイヤを固められた前記外側シースと接合することとをさらに含む、請求項８に記載の方法。
【請求項１５】
前記壁を所望の長さに切断することと、次いで前記壁を巻いて互いに重なり合う関係に持ち込むことと、前記中央芯材をヒートセットして前記壁をその巻かれた構成に維持することとをさらに含む、請求項１４に記載の方法。
【請求項１６】
前記スリーブの前記キャビティ内に収容された前記ワイヤを前記マルチフィラメント縦糸と区別する能力を向上させるために、前記マルチフィラメント縦糸を色付けされた糸として提供することをさらに含む、請求項７に記載の方法。
【請求項１７】
前記ワイヤを前記マルチフィラメント糸の周りに反対方向に螺旋状に巻くことをさらに含む、請求項７に記載の方法。
【発明の詳細な説明】
【技術分野】
【０００１】
関連出願の相互参照
この出願は、２０１５年６月８日に提出された米国仮出願第６２／１７２，３６１号および２０１６年６月８日に提出された米国出願第１５／１７６，５８４号の利益を主張し、その内容全体が参照によりここに組み込まれる。
【０００２】
本発明の背景
１．技術分野
この発明は、一般に細長い部材を保護するための織物スリーブに関し、より特定的には、その中に収容される内部の細長い部材をはっきりと視認可能である織られたＥＭＩ耐性を有するスリーブに関する。
【背景技術】
【０００３】
２．関連技術
摩耗および電磁干渉（electromagnetic interference、ＥＭＩ）の形態での電磁エネルギの影響からワイヤ等を保護するために、ワイヤおよびワイヤハーネスを保護スリーブの中に包むことが知られている。残念ながら、公知のスリーブはこのような保護を提供するのに効果的であるものの、その中に収容される細長い部材を見えないように隠しており、ある用途では、たとえばスロットマシンなどのゲーム用および娯楽用の装置などにおいて、このことは望ましくない。ゲームおよび娯楽産業においては、装置が期待される公正規制に適合することを保証するために、ワイヤを視認可能とすることが法律によって要求されている。このように、ＥＭＩに対する保護を備えるために、ワイヤは典型的には追加のワイヤに撚り合わせられる。しかしながら、この解決方法では、ＥＭＩに対する遮蔽は比較的低いことが分かっており、摩耗に対する保護を制限し、組み立てにおいて労働集約的であるため、装置を製造するための費用を追加する。
【発明の概要】
【課題を解決するための手段】
【０００４】
本発明の概要
本発明の１つの局面は、ワイヤを引き回し、摩耗およびＥＭＩに対する曝露からワイヤを保護するとともに、スリーブの中に収容されてもワイヤを視認可能とするための、織られたスリーブを提供する。スリーブは、両端部間で長手方向軸に沿って長手方向に延在する対向する縁部を備える壁を有し、対向する縁部は、スリーブのキャビティ内にワイヤを収容するために互いに重なり合う関係で巻き付け可能である。壁は、長手方向軸に沿って延在する縦糸と、縦糸に対して横方向に延在する横糸とから構成される。横糸は、透明または実質的に透明なモノフィラメントとして提供され、縦糸は、モノフィラメント糸と少なくとも１つの導電性ワイヤとを含む糸として提供される。導電性ワイヤは、マルチフィラメント糸の周りに撚り合される、または供給され得る。
【０００５】
本発明の別の局面に従えば、マルチフィラメント縦糸は、明色の糸であって、スリーブのキャビティ内に収容されるワイヤとマルチフィラメント縦糸とを区別する能力を向上する。
【０００６】
本発明の別の局面に従えば、モノフィラメント横糸の少なくとも一部は、実質的に透明な中央芯材と実質的に透明な外側シースとを含む、透明または実質的に透明な複合モノフィラメントとして提供されてもよい。外側シースは、中央芯材よりも低い融点を有し、外側シースを縦糸のワイヤと接合することを容易にすることで、ワイヤを所定位置に固定するとともに、スリーブ壁の端部を所望の長さに切断する際に端部ほつれを防ぐように作用する。中央芯材は、対向する端部を互いに重なり合う関係になるように付勢するように、ヒートセット可能である。
【０００７】
本発明の別の局面に従えば、壁は所望であれば単一の工程で製造されてもよく、この場合、中央芯材で与えられるヒートセットおよび外側シースの融解が単一の動作で行なわれ得る。
【０００８】
本発明の別の局面に従えば、外側シースがまず融解されることにより、ワイヤを所定の位置に固定し、さらに中央芯材をヒートセットする前に壁を所定の長さに切断することを可能にし、その後、壁を所定の長さに切断する際に、続いて壁が巻かれ、ヒートセットされて、その巻かれた構造を維持し得る。
【０００９】
本発明の別の局面に従えば、その中を通って延在する細長いワイヤを保護するための保護織物スリーブを構築するための方法が提供される。上記方法は、長手方向軸に沿って延在する縦糸と、縦糸に対して横方向に延在する横糸とを用いて、長手方向軸に沿って長手方向に延在する対向する縁部を有する壁を織ることを含む。上記方法はさらに、横糸を透明または実質的に透明なモノフィラメントとして提供することと、縦糸をマルチフィラメント糸と少なくとも１つの導電性ワイヤとを含む糸として提供することとを含み、導電性ワイヤは、マルチフィラメント糸の周りに撚り合わされる、または供給される。
【００１０】
本発明の別の局面に従えば、上記方法は、横糸を、実質的に透明な中央芯材と実質的に透明な外側シースとを含む、透明または実質的に透明な複合モノフィラメントとして提供することを含んでもよい。外側シースは、外側シースを縦糸のワイヤと接合することを容易にするために中央芯材よりも低い融点を有して提供され、これによりワイヤを所定の位置に固定するとともに、スリーブ壁の端部を所望の長さに切断する際に端部ほつれを防ぐように作用する。中央芯材は、対向する縁部を互いに重なる関係になるように付勢するように、ヒートセット可能なものとして提供される。
【００１１】
本発明の別の局面に従えば、上記方法はさらに、単一の加熱動作で中央芯材をヒートセットするとともに外側シースを少なくとも部分的に融解することを含む、単一の工程で壁を熱加工することを含んでもよい。
【００１２】
本発明の別の局面に従えば、上記方法はさらに、第１の加熱動作において、外側シースを融解するのには十分だが中央芯材をヒートセットすることを回避できるほど低い温度で、外側シースを融解することを含んでもよく、これにより、融解されその後固められる外側シースを介してワイヤを所定の位置に固定する。そして、上記方法はさらに、壁を所望の長さに切断することと、その後、壁を巻いて対向する縁部を互いに重なる関係になるように持ち込むことと、中央芯材をヒートセットして壁をその巻かれた構造に維持することとを含んでもよい。
【００１３】
本発明の別の局面に従えば、上記方法はさらに、スリーブのキャビティ内に収容されるワイヤとマルチフィラメント縦糸とを区別可能とすることを強化するために、マルチフィラメント縦糸を明色の糸として提供することを含んでもよい。さらに、上記方法はスリーブのキャビティ内を通って延在するワイヤまたはワイヤシースの色から容易に区別可能である色を有するマルチフィラメント糸を提供することを含むことが理解されるべきである。
【００１４】
本発明に従って構築されたスリーブは、その中に収容されるワイヤに対する摩耗保護およびＥＭＩ保護を高める一方で、スリーブの壁を通してスリーブ内に収容されるワイヤを視認可能とするだけでなく、製造を経済的にし、ワイヤに関する自己カール型の構造を維持する能力を高める。
【００１５】
これらのおよび他の局面、特徴ならびに利点は、以下の現在好ましい実施形態の詳細な説明、最良の態様、添付された請求項および添付の図面を考慮して、当業者にとって容易に理解できるであろう。
【図面の簡単な説明】
【００１６】
【図１】その中に細長い部材を運び保護する、本発明の１つの局面に従って構築される織られた自己巻き型のスリーブの概略的な斜視図である。
【図２】本発明の１つの局面に従う図１のスリーブの縦方向に延在する糸の拡大された部分斜視図である。
【図２Ａ】本発明の別の局面に従う図１のスリーブの縦方向に延在する拡大された部分概略図である。
【図３】本発明の１つの局面に従う図１のスリーブの縦方向に延在するハイブリッド糸の拡大された部分概略図である。
【図３Ａ】本発明の別の局面に従う図１のスリーブの縦方向に延在するハイブリッド糸の拡大された部分概略図である。
【図３Ｂ】本発明の別の局面に従う図１のスリーブの縦方向に延在するハイブリッド糸の拡大された部分概略図である。
【図４】本発明の１つの局面に従って構築されるスリーブの摺動動作を示すグラフである。
【図５Ａ】本発明に従うスリーブを構築するために用いられ得る異なる織目を示す図である。
【図５Ｂ】本発明に従うスリーブを構築するために用いられ得る異なる織目を示す図である。
【図５Ｃ】本発明に従うスリーブを構築するために用いられ得る異なる織目を示す図である。
【発明を実施するための形態】
【００１７】
好ましい実施形態の詳細な説明
図面をより詳細に参照すると、図１は、本発明の１つの局面に従って構築される、本明細書においてスリーブ１０と呼ばれる、織られた巻き付け可能な織物スリーブの概略図を示す。スリーブ１０は、たとえばワイヤ、シースの中に収容されるワイヤ、または束にされたワイヤハーネス１４などの細長い部材を引き回すとともに、摩耗、ＥＭＩおよび汚染、瓦礫等への曝露から保護するための、巻き付け可能な細長い壁１２を有する。細長い壁１２は、両端部１５，１７間で長手方向の中心軸２０に沿って長手方向に延在する対向する縁部１６，１８を有し、縁部１６，１８は、スリーブ１０の中央キャビティ２２内の細長い部材１４を完全に囲むために、「タバコ巻き」の態様で互いに重なり合うように巻付可能である。キャビティ２２は、中心軸２０の長さ全体に沿って容易にアクセス可能であり、細長い部材１４はキャビティ２２の中へ径方向に容易に配置され、反対に、使用中などにはキャビティ２２から取り除かれ得る。細長部材１４を摩耗から保護するために、壁１２は横糸２４と呼ばれる横糸で織られ、横糸は、以下でさらに説明される理由のために、透き通った透明または実質的に透明なモノフィラメント糸として提供され、壁１２の周りに横糸方向にかつ中心軸２０に対して横方向に、周方向に延在する。さらに、横糸２４は、少なくとも部分的に、ヒートセット可能なモノフィラメントとして提供され、対向する縁部１６，１８を自己カールし、互いに重なる関係になるように付勢されることを容易にする。ＥＭＩに対する保護を細長い部材１４に提供するために、壁１２は、中心軸２０に沿って長手方向に延在するハイブリッド縦糸２６で織られる。ハイブリッド縦糸２６は、互いに組み合うマルチフィラメント糸２８と少なくとも１つの連続的なワイヤ３０とを含み、ワイヤ３０は、マルチフィラメント糸２８の周りに供給されてもよく（図３）、マルチフィラメント２８に撚り合わされてもよく（図３Ａ）、または、２つのワイヤ３０が用いられるなど複数のワイヤの場合には、ワイヤ３０はマルチフィラメント糸２８の周りにＳおよびＺの反対のらせん方向にらせん状に巻かれるという現在好ましい実施形態が考えられる（図３Ｂ）。マルチフィラメント糸２８は、被覆率を高めるとともに、ワイヤ３０上に摩擦を与えることによって所定の位置に１つまたは複数のワイヤ３０を維持することを助けるため、１つまたは複数のワイヤ３０がマルチフィラメント糸２８に対して移動することを防ぎ、これによりＥＭＩに対する細長い部材１４への効果的な保護を維持する能力を高める。ワイヤ３０をそれらの意図された織られる時の位置に固定することをさらに容易にすることによって最適なＥＭＩ保護を保証するために、横糸は、少なくとも部分的に、中央芯材３２と外側シース３４とを含む複合モノフィラメント２４’として提供され得る（図２Ａ）。外側シース３４は、融解、固化、および外側シースを縦ハイブリッド糸のワイヤ３０と接合することを容易にするために中央芯材３２よりも低い融点を有することで、織られる時にワイヤ３０を所定の位置に固定し、これによりワイヤ３０の「織られたまま」のパターンが維持されることを保証する。さらに、融解された外側シース３４は、織られた糸／フィラメント２４’，２６を互いに接合して、スリーブ壁１２をその仕上げられた長さに切断する際に端部１５，１７における端部ほつれを防ぐするように作用する。さらに、（融解されずに）ヒートセット可能である中央芯材３２によって、対向する縁部１６，１８は、中央芯材３２のヒートセットを介して容易に付勢されて、対向する縁部１６，１８を互いに重なる関係に維持し、同時にたとえば角の周りを引き回すために十分な可撓性を有するスリーブ１０を提供する。
【００１８】
用途の必要性に応じて、壁１２は長さ、幅および直径を含む任意の好適なサイズを有して構築されてもよい。壁１２がヒートセットされ、その自己巻き管状構成になる時、一般に外部に力を加えることなく、縁部１６，１８は好ましくは少なくともわずかに互いに重なって完全にキャビティ２２を囲み、これによりキャビティ２２の中に収容されるワイヤ１４に対する保護を高める。縁部１６，１８は、少なくとも部分的にキャビティ２２を開き曝すために、ヒートセットされた横糸２４（２４’）よって加えられる付勢に打ち勝つのに十分な外部に加えられる力の下で、互いに容易に延在可能である。さらに、ワイヤ１４は、組み立て時にキャビティ２２の中へ容易に配置され得る、または使用中にキャビティ２２から除去され得る。外部に加えられる力を解放する際、縁部１６，１８は、ヒートセットされた横モノフィラメント糸２４，２４’によって加えられる付勢の下、重なり合う自己巻きの位置に自動的に戻る。
【００１９】
モノフィラメント横糸２４は、たとえば透き通ったポリフェニレンスルフィド（ＰＰＳ）またはポリエチレンテレフタレート（ＰＥＴ）などの透き通ったヒートセット可能な高分子材料を含む、任意の好適な透き通った（透明の）または実質的に透き通った高分子材料として提供されてもよい。１つの例示的なスリーブの実施形態においては、モノフィラメント糸２４は約０．２５ｍｍの直径を有する透き通ったＰＥＴとして提供され、壁１２は約４２ｍｍの幅（壁１２を平らにした状態で縁部１６，１８間に延在する寸法）を有し、約１９のインチあたり横糸数（ＰＰＩ）を有して形成されたが、これは例示であって限定ではない。
【００２０】
ハイブリッド縦糸２６は、任意の好適な導電性ワイヤ材料を含んでもよく、１つの例示的な実施形態では、ワイヤ３０は銅として提供され、一方モノフィラメント糸２８は明色の糸として提供されることによって、ワイヤ１４が容易に視認可能となり、１つまたは複数の透明な横糸２４，２４’およびスリーブ１０の壁１２の隙間を通る外側のマルチフィラメント糸２８から区別されることが可能となる。さらに、マルチフィラメント糸２８は、スリーブ１０のキャビティ２２を通って延在するワイヤまたはそのワイヤシース１４の色から容易に区別可能である色を有して提供されてもよいことが認識されるべきである。マルチフィラメント糸２８は、用途に応じて、例示であって限定ではないが、ポリエステル、ナイロン、ポリプロピレン、ポリエチレン、アクリル、綿、レーヨンおよび前述の全材料の耐火性（ＦＲ）型から形成されてもよい。１つの例示的な実施形態では、ハイブリッド糸２６は、約５０〜６０の端部間で約１６００〜１６５０の間のデニールを有して提供された。端部の数が相対的に少なければ、ＡＭ帯（図４）において−６０ｄＢよりも大きな所望のＥＭＩ保護を得られると同時に、キャビティ２２内に収容されるワイヤ１４がある用途で所望のとおりに壁１２を通して容易に視認可能となる。
【００２１】
糸２４（２４’），２６は、平織パターン（図５Ａ）を用いて織られてもよく、織物技術において理解されるように、それぞれの横糸２４（２４’）および縦糸２６は他方の上下に互い違いとなる態様で波打つ。しかしながら、例示であって限定ではないが、綾織（図５Ｂ）、バスケット織（図５Ｃ）、繻子織または朱子織などの他の織パターンがここでは考えられ、これらも織物技術において理解される。
【００２２】
本開示の別の局面に従えば、スリーブ１０の構築方法が提供される。当該方法は、長手方向軸２０に沿って延在する縦糸２６と縦糸２６に対して横方向に延在する横糸２４（２４’）とを用いて、長手方向軸２０に沿って長手方向に延在する対向する縁部１６，１８を有する壁１２を織ることを含む。当該方法はさらに、横糸２４（２４’）を透明または実質的に透明な１つまたは複数のモノフィラメントとして提供することと、縦糸２６をマルチフィラメント糸２８と少なくとも１つの導電性ワイヤ３０とを含む糸として提供することとを含み、導電性ワイヤ３０はマルチフィラメント糸２８の周りに撚り合わせられる、または供給される。
【００２３】
当該方法はさらに、横糸２４’を実質的に透明な中央芯材３２と実質的に透明な外側シース３４とを含む透明または実質的に透明な複合モノフィラメントとして提供することを含んでもよい。外側シース３４は、外側シース３４を縦糸２６のワイヤ３０と接合することを容易にするために中央芯材３２よりも低い融点を有して設けられることで、ワイヤ３０を所定の位置に固定するとともにスリーブ壁１２の端部１５，１７を所望の長さに切断する際に端部ほつれを防ぐように作用する。中央芯材３２は、対向する端部１６，１８を互いに重なり合う関係に付勢するために、ヒートセットされるものとして提供される。それぞれのシース／芯材は、ＰＥ／ＰＥＴまたはＰＥ／ＰＰとして提供されてもよいが、これは例示であって限定ではない。
【００２４】
当該方法はさらに、単一の加熱動作で中央芯材３２をヒートセットすることと少なくとも部分的に外側シース３４を融解することとを含む、単一の工程で壁１２を加熱処理することを含んでもよい。さらに、横糸２４’は単一の動作でヒートセットされるとともにワイヤ３０に接合されてもよく、これにより製造工程を簡素化する。
【００２５】
本開示の別の局面に従えば、当該方法はさらに、第１の加熱動作において、少なくとも部分的に外側シース３４を融解するのに十分だが中央芯材３２をヒートセットすることを回避するのに十分低い温度で、外側シース３４を融解することを含んでもよく、これにより融解され次に冷却され固められた外側シース３４を介してそれらの「織られたままの」位置にワイヤ３０を固定する。その後、当該方法はさらに、接合された横糸２４’および縦糸２６によって、端部がほつれることなく壁１２の端部１５，１７を所望の長さに切断することと、次いで、壁１２を対向する縁部１６，１８を互いに重なり合う関係に持ち込むように包むことと、次いで、壁１２をその付勢された巻かれた構成に維持するのに十分な時間にわたって、外側シース３４を融解するために用いられる温度よりも大きい十分な温度で、中央芯材３２をヒートセットすることとを含んでもよい。
【００２６】
上記の教示に照らせば、本発明の多くの改良および変形が可能である。したがって、本発明は特定的に説明された以外の方法で実施されることがあり、本発明の範囲は許可された請求項によって規定されることが理解されるべきである。
【図１】
2018519431.tif 000003
【図２】
2018519431.tif 000004
【図２Ａ】
2018519431.tif 000005
【図３】
2018519431.tif 000006
【図３Ａ】
2018519431.tif 000007
【図３Ｂ】
2018519431.tif 000008
【図４】
2018519431.tif 000009
【図５Ａ】
2018519431.tif 000010
【図５Ｂ】
2018519431.tif 000011
【図５Ｃ】
2018519431.tif 000012
【国際調査報告】
2018519431.tif 000013
2018519431.tif 000014